(57)【特許請求の範囲】
【請求項１】
音声情報を記録／再生可能に構成され、押下されることにより少なくとも前記音声情報を再生するための操作部と、該操作部と同一面に設けられた第１の位置合わせマーク部とを具備する本体シートと、
前記第１の位置合わせマーク部が露出するように、かつ、前記操作部を覆うように前記本体シートの前記操作部が設けられた面に貼着される印刷用シートと、
前記操作部を示す操作マーク部と、第２の位置合わせマーク部とを具備し、前記本体シートの前記印刷用シートが貼着された面に貼着される透明シートとを有し、
前記操作部と前記第１の位置合わせマーク部との位置関係と、前記操作マーク部と前記第２の位置合わせマーク部との位置関係とが互いに同一である音声メッセージ伝達シートセット。
【発明の詳細な説明】
【技術分野】
【０００１】
本発明は、音声情報を記録／再生可能な音声メッセージ伝達シートセットに関し、特に、記録された音声情報を再生するための操作部を有する音声メッセージ伝達シートセットに関する。
【背景技術】
【０００２】
従来より、ダイレクトメールやグリーティングカード等の送付物においては、発送元において、発送される送付物が作成されるとともに送付物の発送先が指定され、その後、作成された送付物が指定された発送先に送付されている。このように作成、発送される送付物は、発送元から発送先に通知したい情報が掲載された印刷物が封筒に封入されて構成されるものや、発送元から発送先に通知したい情報がはがき等のシートに印刷されて構成されるもの等がある。
【０００３】
送付物の発送先においては、送付されてきた送付物が受け取られた後、送付物に印刷された情報が閲覧されることにより、送付物の発送元にて通知したい情報が認識されることになる。
【０００４】
ところが、このように、送付物の発送元にて発送先に通知したい情報が印刷された送付物が発送元から送付され、送付物の発送先において送付されてきた送付物に印刷された情報が閲覧されることにより、送付物の発送元にて通知したい情報が発送先に伝達されるものにおいては、送付物の発送元における所望のメッセージを、視覚的にしか発送先に伝達することができず、それにより、伝達可能な情報の種類が限定されてしまう。
【０００５】
そこで、音声情報を記憶可能に構成された音声記憶機能付カードが、特許文献１に開示されている。
【０００６】
図９は、従来の音声記憶機能付カードの一構成例を示す図であり、（ａ）は内部構造を示す図、（ｂ）は断面図である。
【０００７】
本従来例は図９に示すように、２枚のカード４０２，４０３が折り部４０４を介して連接し、マイクロフォン４３１、スピーカ４３２、回路部４３３、回路基板４３４及びスイッチ４３５等からなる音声情報記憶部４３０が、カード４０３と、このカード４０３に対向するカード４０５とに挟み込まれて構成されている。音声情報記憶部４３０を挟み込んだ２枚のカード４０３，４０５は、音声情報記憶部４３０の周囲にて接着剤４４０で互いに貼着されている。
【０００８】
このように構成された音声記憶機能付カードは、スイッチ４３５が操作されながらマイクロフォン４３１を介して音声情報が入力されると、入力された音声情報が回路部４３３に記憶され、その後、スイッチ４３５が押下されると、回路部４３３に記憶された音声情報がスピーカ４３２から出力される。
【特許文献１】特公平０３−４５４３３号公報
【発明の開示】
【発明が解決しようとする課題】
【０００９】
しかしながら、上述したような音声記憶機能付カードにおいては、マイクロフォン４３１、スピーカ４３２、回路部４３３、回路基板４３４及びスイッチ４３５等からなる音声情報記憶部４３０が２枚のカード４０３，４０５に挟み込まれているため、音声情報記憶部４３０が挟み込まれた領域の厚さが厚くなり、音声情報記憶部４３０が２枚のカード４０３，４０５に挟み込まれた状態で宛先情報や送付先に伝達したい情報等を印刷することが困難であるという問題点がある。
【００１０】
また、マイクロフォン４３１を介して入力された音声情報を回路部４３３に記憶したり、回路部４３３に記憶された音声情報をスピーカ４３２から出力したりするためのスイッチ４３５が設けられているが、このスイッチ４３５は外部からその位置を認識可能とする必要があるため、カード４０３のスイッチ４３５に対向する領域にはスイッチ４３５を示す印刷が施されている。そのため、音声記憶機能付カードの送付先に伝達したい情報が記入された場合にその情報によってスイッチ４３５を示す印刷が見えなくなることを回避するためには、スイッチ４３５は、音声記憶機能付カードの送付先に伝達したい情報が記入される面とは反対側の面に設けられていることが好ましい。ところが、その場合、音声記憶機能付カードの送付先においては、伝達される情報を見ながらスイッチ４３５を操作することができなくなり、伝達される情報とスイッチ４３５の操作とが何らか関連している場合等、伝達される情報を見ながらではスイッチ４３５を操作しづらくなってしまうという問題点がある。ここで、音声記憶機能付カードの送付先に伝達したい情報を記入した後に、スイッチ４３５を示す印刷が施されたシールをカード４０３の表面に貼付すれば、スイッチ４３５を音声記憶機能付カードの送付先に伝達したい情報が記入される面と同一面に設けることができながらも、音声記憶機能付カードの送付先に伝達したい情報によってスイッチ４３５を示す印刷が見えなくなることを回避することができるようになるが、スイッチ４３５を示す印刷が施されたシールをカード４０３の表面に貼付する際に、スイッチ４３５とスイッチ４３５を示す印刷との位置合わせが困難である。
【００１１】
本発明は、上述したような従来の技術が有する問題点に鑑みてなされたものであって、送付先に伝達したい情報を印刷して付与することができ、かつ、音声情報を再生したり記録したりするための操作部を、送付先に伝達したい情報が記載された面と同一面に設けることができながらも、その操作部の位置を外部から確実に認識可能とすることができる音声メッセージ伝達シートセットを提供することを目的とする。
【課題を解決するための手段】
【００１２】
上記目的を達成するために本発明は、
音声情報を記録／再生可能に構成され、押下されることにより少なくとも前記音声情報を再生するための操作部と、該操作部と同一面に設けられた第１の位置合わせマーク部とを具備する本体シートと、
前記第１の位置合わせマーク部が露出するように、かつ、前記操作部を覆うように前記本体シートの前記操作部が設けられた面に貼着される印刷用シートと、
前記操作部を示す操作マーク部と、第２の位置合わせマーク部とを具備し、前記本体シートの前記印刷用シートが貼着された面に貼着される透明シートとを有し、
前記操作部と前記第１の位置合わせマーク部との位置関係と、前記操作マーク部と前記第２の位置合わせマーク部との位置関係とが互いに同一である。
【００１３】
上記のように構成された本発明においては、印刷用シートに所望の情報が印刷された後、印刷用シートが本体シートの操作部が設けられた面に貼着される。操作部は、押下することにより、記録された音声情報を再生したり、音声情報を記録したりするものである。そのため、印刷用シートに印刷された情報を見ながら操作部を操作することが可能となる。ところが、印刷用シートは本体シートの操作部が設けられた面に貼着されるため、印刷用シートによって操作部が覆われた場合、操作部の位置を外部から認識することができない。そこで、操作部を示す操作マーク部が設けられた透明シートを、本体シートの印刷用シートが貼着された面に貼着する。この際、本体シートに設けられた第１の位置合わせマーク部と透明シートに設けられた第２の位置合わせマーク部とによって本体シートと透明シートとの位置合わせを行う。すると、操作部と第１の位置合わせマーク部との位置関係と、操作マーク部と第２の位置合わせマーク部との位置関係とが互いに同一であるため、操作部に操作マーク部が重なり、操作部の位置を外部から認識することができるようになる。
【発明の効果】
【００１４】
本発明は、以上説明したように構成されているので、印刷用シートに所望の印刷を施すことにより送付先に伝達したい情報を印刷して付与することができ、また、操作部を示す操作マーク部が設けられた透明シートを本体シートに貼着する際、本体シートに設けられた第１の位置合わせマーク部と透明シートに設けられた第２の位置合わせマーク部とによって本体シートと透明シートとの位置合わせを行うことにより、操作部に操作マーク部が重なり、操作部の位置を外部から認識することができるようになり、それにより、音声情報を再生したり記録したりするための操作部を、送付先に伝達したい情報が記載された面と同一面に設けることができながらも、その操作部の位置を外部から確実に認識可能とすることができる。
【発明を実施するための最良の形態】
【００１５】
以下に、本発明の実施の形態について図面を参照して説明する。
【００１６】
図１は、本発明の音声メッセージ伝達シートセットの実施の一形態を示す図であり、（ａ）はその構成要素を示す図、（ｂ）は（ａ）に示した各構成要素を互いに貼着した状態を示す図、（ｃ）は（ｂ）に示したＡ−Ａ’断面図である。
【００１７】
本形態は図１（ａ）に示すように、音声情報を記録／再生可能に構成された本体シート１００と、本体シート１００に貼着される印刷用シート２００と、本体シート１００の印刷用シート２００が貼着された面に貼着される透明シート３００とから構成されている。
【００１８】
本体シート１００には、押下されることにより音声情報を記録するための操作部となる録音ボタン１０１ａと、押下されることにより音声情報を再生するための操作部となる再生ボタン１０１ｂと、第１の位置合わせマーク１０２とが同一面に印刷されている。
【００１９】
透明シート３００には、本体シート１００の印刷用シート２００が貼着された面に貼着された場合に録音ボタン１０１ａを示す操作マーク部となる録音ボタンマーク３０１ａと、本体シート１００の印刷用シート２００が貼着された面に貼着された場合に再生ボタン１０１ｂを示す操作マーク部となる再生ボタンマーク３０１ｂと、第２の位置合わせマーク３０２とが印刷されている。
【００２０】
そして、録音ボタン１０１ａ及び再生ボタン１０１ｂと位置合わせマーク１０２との位置関係と、録音ボタンマーク３０１ａ及び再生ボタンマーク３０１ｂと位置合わせマーク３０２との位置関係とは互いに同一となっている。具体的には、位置合わせマーク１０２からの録音ボタン１０１ａ及び再生ボタン１０１ｂまでのそれぞれの距離及び方向は、位置合わせマーク３０２からの録音ボタンマーク３０１ａ及び再生ボタンマーク３０１ｂまでのそれぞれの距離及び方向と同一となっている。
【００２１】
このように構成された本体シート１００、印刷用シート２００及び透明シート３００は、図１（ｂ），（ｃ）に示すように、まず、印刷用シート２００が、本体シート１００の録音ボタン１０１ａ及び再生ボタン１０１ｂが設けられた面に粘着剤２０１によって貼着され、その後、本体シート１００の印刷用シート２００が貼着された面に透明シート３００が粘着剤３０３によって貼着される。その際、透明シート３００の位置合わせマーク３０２と本体シート１００の位置合わせマーク１０２とが互いに重なり合うように透明シート３００と本体シート１００とを貼着する。
【００２２】
すると、上述したように、本体シート１００の録音ボタン１０１ａ及び再生ボタン１０１ｂと位置合わせマーク１０２との位置関係と、透明シート３００の録音ボタンマーク３０１ａ及び再生ボタンマーク３０１ｂと位置合わせマーク３０２との位置関係とが互いに同一となっていることから、録音ボタン１０１ａと録音ボタンマーク３０１ａとが重なり合い、また、再生ボタン１０１ｂと再生ボタンマーク３０１ｂとが重なり合うことになる。
【００２３】
以下に、本形態における本体シート１００について詳細に説明する。
【００２４】
図２は、図１に示した本体シート１００の構成を示す図であり、（ａ）は表面の構成を示す図、（ｂ）は内部構造を示す図、（ｃ）は裏面の構成を示す図、（ｄ）は（ａ）に示したＡ−Ａ’断面図である。
【００２５】
本形態における本体シート１００は図２に示すように、音声情報の記録及び再生が可能なシート状の音声情報記録／再生部１３０が、紙基材等の柔軟性を有し、かつ薄型の基材
からなる２枚の支持シート１２０ａ，１２０ｂに挟み込まれ、また、音声情報記録／再生部１３０が挟まれた支持シート１２０ａ，１２０ｂが、その外形が支持シート１２０ａ，１２０ｂと同一形状であって、紙基材等の柔軟性を有し、かつ薄型の基材からなる２枚の表面シート１１０ａ，１１０ｂに挟み込まれている。なお、表面シート１１０ａ，１１０ｂ、支持シート１２０ａ，１２０ｂ及び音声情報記録／再生部１３０は、支持シート１２０ａ，１２０ｂの表裏に施された粘着加工によって互いに接着されている。この粘着加工は、支持シート１２０ａ，１２０ｂの表裏に両面テープを貼付することや、ホットメルト型接着剤を塗布すること等によって行うことが考えられる。また、表面シート１１０ａ，１１０ｂ及び支持シート１２０ａ，１２０ｂは、他の領域から突出した突出部１０５を有しており、音声情報記録／再生部１３０においてもこの領域が他の領域から突出している。
【００２６】
音声情報記録／再生部１３０は、ピエゾ素子、振動板及びフィルムシートからシート状に構成されて音声情報を入出力するための音声情報入出力部１４０と、外部から入力された音声情報が記録されるメモリ領域を具備する薄型のＩＣチップ１３４やコンデンサ、抵抗等の回路素子が搭載されるとともに、外部からＩＣチップ１３４に音声情報を記録するための接続端子１３５を含む配線パターンが形成された音声基板１３２と、音声基板１３２に形成された配線パターンの一部を導通させるためのスイッチ１３３ａ，１３３ｂと、音声基板１３２に接続され、音声基板１３２に電源を供給するための柔軟性を有してなるペーパー電池１３１とから構成されており、これにより、音声情報記録／再生部１３０は、音声情報の記録及び再生が可能に構成されている。音声基板１３２においては、柔軟性を有し、かつ薄型の繊維強化プラスチック（ＦＲＰ）やポリエチレンテレフタレート（ＰＥＴ）、ポリイミドあるいはリードフレーム等からなるベース基板に、異方性導電性接着剤（ＡＣＰ）や異方性導電性フィルム（ＡＣＦ）あるいはワイヤボンディング等によってＩＣチップ１３４が接合されている。また、ＩＣチップ１３４は、接続端子１３５や音声情報入出力部１４０を介して入力された音声情報をメモリ領域に記録し、また、メモリ領域に記録された音声情報を音声情報入出力部１４０を介して出力する制御を行うものであって、音声情報入出力部１４０を介して入力された音声情報をＩＣチップ１３４のメモリ領域に記録するための指示信号が入力されるポート端子がその指示信号の電位となる電源電位になっている間だけ、音声情報入出力部１４０を介して入力された音声情報をＩＣチップ１３４のメモリ領域に記録し、また、ＩＣチップ１３４のメモリ領域に記録された音声情報を音声情報入出力部１４０を介して出力するための指示信号が入力されるポート端子がその指示信号の電位となる電源電位になった場合、ＩＣチップ１３４のメモリ領域に記録された音声情報を音声情報入出力部４０を介して出力する。また、スイッチ１３３ａは、音声情報入出力部１４０を介して入力された音声情報をＩＣチップ１３４のメモリ領域に記録する際に操作されるものであり、また、スイッチ１３３ｂは、ＩＣチップ１３４のメモリ領域に記録された音声情報を音声情報入出力部１４０を介して出力する際に操作されるものである。
【００２７】
表面シート１１０ａは、音声情報記録／再生部１３０のスイッチ１３３ａと対向する領域に、スイッチ１３３ａを操作するための録音ボタン１０１ａが印刷され、また、スイッチ１３３ｂと対向する領域に、スイッチ１３３ｂを操作するための再生ボタン１０１ｂが印刷されている。また、透明シート３００が貼着される際に位置合わせを行うための位置合わせマーク１０２が印刷されている。
【００２８】
表面シート１１０ｂは、音声情報記録／再生部１３０の音声情報入出力部１４０と対向する領域に、音声情報入出力部１４０に音声を入力したり、音声情報入出力部１４０から出力された音声を外部に出力したりするための微細な穴が羅列されてなる音声入出力領域１０４が形成されている。このように微細な穴が羅列されてなる音声入出力領域１０４が形成されているため、音声情報入出力部１４０が表裏を表面シート１１０ａ，１１０ｂで覆われた状態であっても、音声情報入出力部１４０から出力される音量の低下を補うことができる。なお、音声入出力領域１０４においては、例えば、レーザ加工によって、０．１ｍｍ径の穴が縦横２．０ｍｍ間隔で形成されている。そのため、抜き加工や針等によって穴を形成する場合と比べてバリが発生せず、その後そのバリによって穴が塞がれてしまうことはない。また、表面シート１１０ｂには、この音声メッセージ伝達シートセットの宛先情報が記載されたラベルを貼付したり、宛先情報を印刷あるいは記入したりするための宛先情報表示領域１０６が設けられている。
【００２９】
図３は、図２に示した本体シート１００の積層状態を示す図である。
【００３０】
図３に示すように、図２に示した本体シート１００の支持シート１２０ａにおいては、音声情報記録／再生部１３０と積層された場合に、スイッチ１３３ａ，１３３ｂ、ＩＣチップ１３４及び音声情報入出力部１４０と対向する領域に穴１２２，１２３，１２４ａがそれぞれ形成されている。
【００３１】
また、図２に示した本体シート１００の支持シート１２０ｂにおいては、音声情報記録／再生部１３０と積層された場合に、ペーパー電池１３１及び音声情報入出力部１４０と対向する領域に穴１２１，１２４ｂがそれぞれ形成されている。
【００３２】
このように、支持シート１２０ａの、スイッチ１３３ａ，１３３ｂ、ＩＣチップ１３４及び音声情報入出力部１４０と対向する領域に穴１２２，１２３，１２４ａがそれぞれ形成され、また、支持シート１２０ｂの、ペーパー電池１３１及び音声情報入出力部１４０と対向する領域に穴１２１，１２４ｂがそれぞれ形成されることにより、ペーパー電池１３１、スイッチ１３３ａ，１３３ｂ、ＩＣチップ１３４及び音声情報入出力部１４０が設けられている領域と他の領域とで厚さの差が小さくなり、それにより、表面シート１１０ａ，１１０ｂの平坦性が向上する。さらには、音声情報記録／再生部１３０の最も厚い部分の厚さに対して、支持シート１２０ａ，１２０ｂの厚さを合計した厚さを同等、若しくは厚くすることにより、表面シート１１０ａ，１１０ｂをほぼ平坦な状態とすることができる。この場合、音声情報記録／再生部１３０の薄い部分、例えば音声基板１３２の部分を支持シート１２０ａ，１２０ｂにより挟み込むことによって音声基板３２が固定される。
【００３３】
図４は、図２及び図３に示した支持シート１２０ａ，１２０ｂと音声情報記録／再生部１３０とを積層した状態を示す図であり、（ａ）は支持シート１２０ａと音声情報記録／再生部１３０とを積層した状態を示す図、（ｂ）は支持シート１２０ｂと音声情報記録／再生部１３０とを積層した状態を示す図である。
【００３４】
図４（ａ）に示すように、支持シート１２０ａのスイッチ１３３ａ，１３３ｂと対向する領域に形成された穴１２２はスイッチ１３３ａ，１３３ｂを含むように、また、ＩＣチップ１３４と対向する領域に形成された穴１２３はＩＣチップ１３４よりも大きく、また、音声情報入出力部１４０と対向する領域に形成された穴１２４ａは音声情報入出力部１４０よりも小さくなっている。
【００３５】
また、図４（ｂ）に示すように、支持シート１２０ｂのペーパー電池１３１と対向する領域に形成された穴１２１はペーパー電池１３１よりも小さく、また、音声情報入出力部１４０と対向する領域に形成された穴１２４ｂは音声情報入出力部１４０よりも大きくなっている。
【００３６】
これにより、音声情報記録／再生部１３０は、２枚の支持シート１２０ａ，１２０ｂによって一部のみが表裏から挟み込まれるように積層され、支持シート１２０ａ，１２０ｂの表裏に施された粘着加工によって固定されている。
【００３７】
次に、本形態における印刷用シート２００について詳細に説明する。
【００３８】
図５は、図１に示した印刷用シート２００の構成を示す断面図である。
【００３９】
本形態における印刷用シート２００は図５に示すように、上質紙等のシート基材２０２上にインク受理層２０３が積層されて構成されており、粘着剤２０１によって剥離紙２０４が剥離可能に貼着されている。この粘着剤２０１によって本体シート１００に貼着されることになる。また、インク受理層２０３としては、例えば多孔質シリカを用いたものが考えられ、インクジェット方式にて印刷が行われた場合、シリカの細孔にインクが浸透しながら定着し、インクの定着性を向上させることができる。
【００４０】
次に、図１に示した透明シート３００について詳細に説明する。
【００４１】
図６は、図１に示した透明シート３００を提供するラベル部材の一例を示す図であり、（ａ）は表面から見た図、（ｂ）は（ａ）に示したＡ−Ａ’断面図である。
【００４２】
本形態における透明シート３００は図６に示すように、互いに別体となった２枚の説明シート３０４ａ，３０４ｂとともに、粘着剤３０３によって剥離紙３０５が剥離可能に貼着されて提供され、本体シート１００の印刷用シート２００が貼着された面に貼着された場合に録音ボタン１０１ａを示す録音ボタンマーク３０１ａが印刷され、また、本体シート１００の印刷用シート２００が貼着された面に貼着された場合に再生ボタン１０１ｂを示す再生ボタンマーク３０１ｂが印刷されている。また、本体シート１００に貼着される際に位置合わせを行うための位置合わせマーク３０２が印刷されている。
【００４３】
説明シート３０４ａには、本体シート１００と印刷用シート２００と透明シート３００とが図１（ｂ）に示したように貼着された状態での音声メッセージ伝達シートセットの使用方法を説明するための説明情報３０６ａが記載されており、また、説明シート３０４ｂには、透明シート３００の本体シート１００への貼り付け方を説明するための説明情報３０６ｂが記載されている。これら説明シート３０４ａ，３０４ｂを本体シート１００や印刷用シート２００に貼着することにより、音声メッセージ伝達シートセットの使用方法や透明シート３００の本体シート１００への貼り付け方を音声メッセージ伝達シートセットの送付先等に伝達することになる。説明シート３０４ａ，３０４ｂは、透明シート３００とは別体で構成され、また、説明シート３０４ａと説明シート３０４ｂとにおいても互いに別体で構成されている。これにより、透明シート３００を本体シート１００に貼着した場合に、説明シート３０４ａ，３０４ｂをそれぞれ選択的に本体シート１００や印刷用シート２００に貼着することができる。例えば、透明シート３００の本体シート１００への貼り付け方は、あえて音声メッセージ伝達シートセットの送付先に伝達する必要がないため、このラベル部材から透明シート３００と説明シート３０４ａのみを選択して本体シート１００に貼着することができる。
【００４４】
以下に、上記のように構成された音声メッセージ伝達シートセットの使用方法について説明する。
【００４５】
図７は、図１に示した音声メッセージ伝達シートセットの使用方法を説明するための図である。
【００４６】
まず、音声メッセージ伝達シートセットの送付先に文字や画像にて通知したい通知情報１を印刷用シート２００に印刷する（図７（ａ））。印刷用シート２００はインク受理層２０３が積層された構成となっているため、インクジェット方式にて印刷が行われた場合に、インクの定着性を向上させることができる。
【００４７】
次に、通知情報１が印刷された印刷用シート２００を、本体シート１００の録音ボタン１０１ａ及び再生ボタン１０１ｂが設けられた面に粘着剤２０１によって貼着する（図７（ｂ））。この際、本体シート１００の録音ボタン１０１ａ及び再生ボタン１０１ｂが印刷用シート２００によって覆われて外部から認識不可能となる。
【００４８】
次に、本体シート１００の印刷用シート２００が貼着された面に透明シート３００を粘着剤３０３によって貼着する（図７（ｃ））。この際、透明シート３００の位置合わせマーク３０２と本体シート１００の位置合わせマーク１０２とが互いに重なり合うように透明シート３００と本体シート１００とを貼着する。
【００４９】
すると、上述したように、本体シート１００の録音ボタン１０１ａ及び再生ボタン１０１ｂと位置合わせマーク１０２との位置関係と、透明シート３００の録音ボタンマーク３０１ａ及び再生ボタンマーク３０１ｂと位置合わせマーク３０２との位置関係とが互いに同一となっていることから、録音ボタン１０１ａと録音ボタンマーク３０１ａとが重なり合い、また、再生ボタン１０１ｂと再生ボタンマーク３０１ｂとが重なり合うことになる。
【００５０】
これにより、透明シート３００の録音ボタンマーク３０１ａが押下されると本体シート１００の録音ボタン１０１ａが押下されることになり、その状態で音声入出力領域１０４に音声情報を入力すれば、入力された音声が音声情報記録／再生部１３０に記録されることになる。そのため、音声メッセージ伝達シートセットの送付元においては、透明シート３００の録音ボタンマーク３０１ａを押下しながら、音声メッセージ伝達シートセットの送付先に音声にて通知したい音声情報を、音声入出力領域１０４を介して入力して音声情報記録／再生部１３０に記録することができる。
【００５１】
また、透明シート３００の再生ボタンマーク３０１ｂが押下されると本体シート１００の再生ボタン１０１ｂが押下されることになり、音声情報記録／再生部１３０に記録された音声情報が音声入出力領域１０４を介して出力されることになる。そのため、音声メッセージ伝達シートセットの送付先においては、透明シート３００の再生ボタンマーク３０１ｂを押下することにより、音声情報記録／再生部１３０に記録された音声情報を、音声入出力領域１０４を介して出力して聞くことができる。
【００５２】
以下に、録音ボタン１０１ａや再生ボタン１０１ｂが押下されたことによる音声情報の記録／再生動作について詳細に説明する。
【００５３】
図８は、図２に示した本体シート１００において、録音ボタン１０１ａが押下されたことによる音声情報の記録動作を説明するための図であり、（ａ）は音声基板１３２上の配線パターンを示す図、（ｂ）はスイッチ１３３ａが押下されていない状態におけるスイッチ１３３ａ近傍の断面図、（ｃ）はスイッチ１３３ａが押下された状態におけるスイッチ１３３ａ近傍の断面図、（ｄ）は（ａ）に示したものから突出部１０５を切り離した状態を示す図である。
【００５４】
図８（ａ）に示すように、音声情報記録／再生部１３０の音声基板１３２には、ペーパー電池１３１の正極からスイッチ１３３ａ，１３３ｂの下部まで延びた配線パターン１３６ａと、ＩＣチップ１３４のポート端子のうち音声情報入出力部１４０を介して入力された音声情報をＩＣチップ１３４のメモリ領域に記録するための指示信号が入力されるポート端子から突出部１０５を介してスイッチ１３３ａの下部まで延びた配線パターン１３６ｂと、ＩＣチップ１３４のポート端子のうちＩＣチップ１３４のメモリ領域に記録された音声情報を音声情報入出力部１４０を介して出力するための指示信号が入力されるポート端子からスイッチ１３３ｂの下部まで延びた配線パターン１３６ｃとが形成されている。なお、配線パターン１３６ａと配線パターン１３６ｂとは、スイッチ１３３ａの下部にて電気的に接続されておらず、また、配線パターン１３６ａと配線パターン１３６ｃとは、スイッチ１３３ｂの下部にて電気的に接続されていない。
【００５５】
図２に示した本体シート１００において、録音ボタン１０１ａを介してスイッチ１３３ａが押下されていない場合は、図８（ｂ）に示すように、音声基板１３２に形成された配線パターン１３６ａと配線パターン１３６ｂとが電気的に接続されていない状態となっている。そのため、ＩＣチップ１３４のポート端子のうち、配線パターン１３６ｂと接続されたポート端子、すなわち、音声情報入出力部１４０を介して入力された音声情報をＩＣチップ１３４のメモリ領域に記録するための指示信号が入力されるポート端子はオープン状態となっており、この状態において音声情報を音声情報入出力部１４０を介して入力しても、入力された音声情報はＩＣチップ１３４のメモリ領域に記録されない。
【００５６】
一方、録音ボタン１０１ａを介してスイッチ１３３ａが押下されると、図８（ｂ）に示すように、音声基板１３２に形成された配線パターン１３６ａと配線パターン１３６ｂとが、スイッチ１３３ａの裏面に塗布された導電剤１３７を介して電気的に接続された状態となる。すると、配線パターン１３６ａがペーパー電池１３１の正極に接続されているため、配線パターン１３６ｂと接続されたポート端子、すなわち、音声情報入出力部１４０を介して入力された音声情報をＩＣチップ１３４のメモリ領域に記録するための指示信号が入力されるポート端子が電源電位となって指示信号がＩＣチップ１３４に入力されたことになり、それにより、この状態において音声情報を音声情報入出力部１４０を介して入力すると、入力された音声情報がＩＣチップ１３４のメモリ領域に記録されることになる。
【００５７】
上述した録音ボタン１０１ａを介してのスイッチ１３３ａの押下時と同様に、再生ボタン１０１ｂを介してスイッチ１３３ｂが押下されていない状態においては、音声基板１３２に形成された配線パターン１３６ａと配線パターン１３６ｃとが電気的に接続されていない状態となっており、そのため、ＩＣチップ１３４のポート端子のうち、配線パターン１３６ｃと接続されたポート端子、すなわち、ＩＣチップ１３４のメモリ領域に記録された音声情報を出力するための指示信号が入力されるポート端子はオープン状態となっており、ＩＣチップ１３４のメモリ領域に記録された音声情報は出力されない。
【００５８】
一方、再生ボタン１０１ｂを介してスイッチ１３３ｂが押下されると、音声基板１３２に形成された配線パターン１３６ａと配線パターン１３６ｃとが、スイッチ１３３ｂの裏面に塗布された導電剤（不図示）を介して電気的に接続された状態となる。すると、配線パターン１３６ａがペーパー電池１３１の正極に接続されているため、配線パターン１３６ｃと接続されたポート端子、すなわち、ＩＣチップ１３４のメモリ領域に記録された音声情報を出力するための指示信号が入力されるポート端子が電源電位となって指示信号がＩＣチップ１３４に入力されたことになり、それにより、ＩＣチップ１３４のメモリ領域に記録された音声情報が音声情報入出力部１４０を介して出力される。このように、再生ボタン１０１ｂを介してスイッチ１３３ｂを押下することにより、ＩＣチップ１３４に記録された音声情報が音声情報入出力部１４０を介して出力されることになる。
【００５９】
また、音声メッセージ伝達シートセットの送付元において、音声情報入出力部１４０を介して音声情報を音声情報記録／再生部３０に記録した後、突出部１０５を切り離すと、図８（ｄ）に示すように、音声基板１３２の突出部１０５となる領域が切断され、それにより、音声基板１３２に形成された配線パターン１３６ｂが断線する。この状態においては、ＩＣチップ１３４のポート端子のうち音声情報入出力部１４０を介して入力された音声情報をＩＣチップ１３４のメモリ領域に記録するための指示信号が入力されるポート端子から延びた配線パターン１３６ｂがスイッチ１３３ａの下部まで延びずに途中で断線しているため、この状態で録音ボタン１０１ａを介してスイッチ１３３ａが押下されても、音声情報入出力部１４０を介して入力された音声情報をＩＣチップ１３４のメモリ領域に記録するための指示信号が入力されるポート端子が電源電位にならない。そのため、この状態で音声情報入出力部１４０を介して音声情報を入力しても、入力された音声情報はＩＣチップ１３４のメモリ領域に記録されない。これにより、音声メッセージ伝達シートセットの送付途中や送付先等において、録音ボタン１０１ａを介してのスイッチ１３３ａの誤操作によって、既に記録されている音声情報が消去されてしまうことを防止することができる。
【００６０】
なお、本形態においては、本体シート１００に、音声情報記録／再生部３０に音声情報を記録するための録音ボタン１０１ａと、音声情報記録／再生部３０に記録された音声情報を再生するための再生ボタン１０１ｂとが設けられ、この本体シート１００に貼着される透明シート２００にこれらに対応する録音ボタンマーク３０１ａ及び再生ボタンマーク３０１ｂが設けられた構成を例に挙げて説明したが、音声情報記録／再生部３０への音声情報の記録を接続端子１３５を介したもののみとし、再生ボタン１０１ｂ及び再生ボタンマーク３０１ｂのみが設けられた構成とすることも考えられる。その場合、突出部１０５は不要となる。
【００６１】
また、本形態においては、表面シート１１０ｂの音声情報入出力部１４０と対向する領域に、音声情報入出力部１４０に音声を入力したり、音声情報入出力部１４０から出力された音声を外部に出力したりするための微細な穴が羅列されてなる音声入出力領域１０４が形成されているが、表面シート１１０ａの音声情報入出力部１４０と対向する領域にも同様に、微細な穴が羅列されてなる音声入出力領域を設ければ、印刷用シート２００が本体シート１００のどちらの面に貼着された場合であっても、音声情報入出力部１４０から出力される音量の低下を補うことができる。
【００６２】
また、位置合わせマーク１０２，３０２は、本形態のように互いに重ね合わされるような形状ではなく、互いの位置を特定可能なものであればよい。
【図面の簡単な説明】
【００６３】
【図１】本発明の音声メッセージ伝達シートセットの実施の一形態を示す図であり、（ａ）はその構成要素を示す図、（ｂ）は（ａ）に示した各構成要素を互いに貼着した状態を示す図、（ｃ）は（ｂ）に示したＡ−Ａ’断面図である。
【図２】図１に示した本体シートの構成を示す図であり、（ａ）は表面の構成を示す図、（ｂ）は内部構造を示す図、（ｃ）は裏面の構成を示す図、（ｄ）は（ａ）に示したＡ−Ａ’断面図である。
【図３】図２に示した本体シートの積層状態を示す図である。
【図４】図２及び図３に示した支持シートと音声情報記録／再生部とを積層した状態を示す図である。
【図５】図１に示した印刷用シートの構成を示す断面図である。
【図６】図１に示した透明シートを提供するラベル部材の一例を示す図であり、（ａ）は表面から見た図、（ｂ）は（ａ）に示したＡ−Ａ’断面図である。
【図７】図１に示した音声メッセージ伝達シートセットの使用方法を説明するための図である。
【図８】図２に示した本体シートにおいて、録音ボタンが押下されたことによる音声情報の記録動作を説明するための図であり、（ａ）は音声基板上の配線パターンを示す図、（ｂ）はスイッチが押下されていない状態におけるスイッチ近傍の断面図、（ｃ）はスイッチが押下された状態におけるスイッチ近傍の断面図、（ｄ）は（ａ）に示したものから突出部を切り離した状態を示す図である。
【図９】従来の音声記憶機能付カードの一構成例を示す図であり、（ａ）は内部構造を示す図、（ｂ）は断面図である。
【符号の説明】
【００６４】
１    通知情報
１００    本体シート
１０１ａ    録音ボタン
１０１ｂ    再生ボタン
１０２，３０２    位置合わせマーク
１０４    音声入出力領域
１０５    突出部
１０６    宛先情報表示領域
１１０ａ，１１０ｂ    表面シート
１２０ａ，１２０ｂ    支持シート
１２１，１２２，１２３，１２４ａ，１２４ｂ    穴
１３０    音声情報記録／再生部
１３１    ペーパー電池
１３２    音声基板
１３３ａ，１３３ｂ    スイッチ
１３４    ＩＣチップ
１３５    接続端子
１３６ａ〜１３６ｃ    配線パターン
１３７    導電剤
１４０    音声情報入出力部
２００    印刷用シート
２０１，３０３    粘着剤
２０２    シート基材
２０３    インク受理層
２０４，３０５    剥離紙
３００    透明シート
３０１ａ    録音ボタンマーク
３０１ｂ    再生ボタンマーク
３０４ａ，３０４ｂ    説明シート
３０６ａ，３０６ｂ    説明情報
【図１】
0004477602.tif 000002
【図２】
0004477602.tif 000003
【図３】
0004477602.tif 000004
【図４】
0004477602.tif 000005
【図５】
0004477602.tif 000006
【図６】
0004477602.tif 000007
【図７】
0004477602.tif 000008
【図８】
0004477602.tif 000009
【図９】
0004477602.tif 000010